Podtech/llm-jp-corpus-v4-ja_patent huggingface dataset:
(57)【要約】【課題】増加している軽度および予備段階の認知症患者を対象として、脳を活性化できるシステムが要望されている。【解決手段】利用者（患者）が自らの手や指を使って、タブレットＰＣ・パーソナルコンピュータなどで実現する専用端末機の提示する訓練用問題を読んで解くことや、その他練習用プログラム（アプリケーション）を操作することを通して、自ら専用端末機を使いこなす事の楽しさと脳の活性化による刺激を得て、痴呆の進行を遅らすことを実現することを特徴とし、練習用プログラム（アプリケーション）の内容は、１０分から２０分程度で完了する長さとすることで、利用者（患者）が飽きないようにすることを特徴とし、普及しているタブレットＰＣやパーソナルコンピュータを利用することで専用端末機を構成できる電子認知症予防訓練システムである。個人情報漏洩を保護した専用回線を用いてので、個人情報の漏洩を防止できる。【選択図】図１
2017021501.tif 000002
【特許請求の範囲】
【請求項１】
個人情報漏洩を保護した専用回線を用いて、利用者（患者）の個人情報を専用のデータサーバーに蓄積することによって、個人情報の漏洩を防止するとともに、訓練状況の進捗を把握し、過去のデータとの比較を通して、医師などへの情報提供を行うことを特徴とする電子認知症予防訓練システム。
【請求項２】
前記、タブレットＰＣやパーソナルコンピュータを専用端末機として利用して認知症予防訓練を目的とする請求項１記載の電子認知症予防訓練システム。
【請求項３】
前記、利用者（患者）のデータが患者名、生年月日、血液型、病歴、投明薬歴、日付などのデータであることを特徴とする請求項１記載の電子認知症予防訓練システム。
【請求項４】
前記、請求項１、請求項２、請求項３記載の訪問販売電子認知症予防訓練システム。
【発明の詳細な説明】
【技術分野】
【０００１】
本発明は、各総合病院・開業医・診療所と全国の老健施設・特別養護老人施設・介護施設・一般家庭などで増加している、軽度および予備段階の認知症患者を対象として、脳を活性化できるシステムに関する。このシステムは、利用者（患者）が自らの手や指を使って、タブレットＰＣ・パーソナルコンピュータなどで実現する専用端末機の提示する訓練用問題を読んで解くことや、その他練習用プログラム（アプリケーション）を操作することを通して、自ら専用端末機を使いこなす事の楽しさと脳の活性化による刺激を得て、痴呆の進行を遅らすことを目的とする。
【背景技術】
【０００２】
練習用プログラム（アプリケーション）の内容は、１０分から２０分程度で完了する長さとすることで、利用者（患者）が飽きないようにする。普及しているタブレットＰＣやパーソナルコンピュータを利用することで請求項０００１記載の電子認知症予防訓練システムを実現できる。
【０００３】
個人情報漏洩を保護した専用回線を用いて、利用者（患者）の個人情報を専用のデータサーバーに蓄積することによって、個人情報の漏洩を防止するとともに、訓練状況の進捗を把握し、過去のデータとの比較を通して、医師などへの情報提供を行うことが可能となる。
【先行技術文献】
【特許文献】
【０００４】
【特許文献１】専用回線とは、個人情報漏洩保護された回線であり、そのデータサーバー内に集約されたデータを、再度読み出すことで、過去のデータとの比較ができるようになる。これまでにこのような先行技術ならびに先行特許は存在しない。
【非特許文献】
【０００５】
【非特許文献１】また、データサーバーに蓄積された多数の利用者の情報を利用することにより、医療費の削減、利用者に対する適切な指摘が可能となる。
【発明の概要】
【発明が解決しようとする課題】
【０００６】
本発明は、情報端末機を利用して即時にその利用者（患者）のデータを情報端末機で読み取り書き取ることが出来る電子認知症予防訓練システムに関する。
【０００７】
最近では、情報端末機は、教育、音楽、映像、業務用ソフトなどをインターネツト経由で配信する用途が拡大している。一部医療現場においてはＰＣ端末機を通じＰＣによるデータ蓄積がなされているが、情報開示が認められていないにもかかわらず、利用者（患者）の個人情報保護が十分に確立されていない。
【課題を解決するための手段】
【０００８】
本発明の目的は、今後、益々増加する高齢者の認知機能を回復させることにあり、今後増大する医療費の軽減を図るとともに、地域医療機関を通じた患者のＱＯＬの向上を目指して、情報端末機を利用した新たな電子認知症予防訓練システムを提供することにある。
【発明の効果】
【０００９】
本発明における電子認知症予防訓練システムは、各地域医療機関・開業医院・総合病院および複数の老健施設・特別養護老人施設、一般家庭等に設置された、専用端末機とデータ処理センタとを専用回線を通して即時処理を行う。前記端末には、利用者（患者）の所有する医事・医療カードのデータを前記情報処理端末（タブレットＰＣ）により書き込み、読み出して前記専用回線に送出するシステムを実現する。
【図面の簡単な説明】
【００１０】
【図１】初期画面の実施方法を示した説明図である。
【図２】問題開始画面の実施方法を示した説明図である。
【図３】結果画面の実施方法を示した説明図である。
【図４】問題画面例１の実施方法を示した説明図である。
【図５】問題画面例２の実施方法を示した説明図である。
【図６】問題画面例３の実施方法を示した説明図である。
【発明を実施するための形態】
【００１１】
本発明における電子認知症予防訓練システムは、各地域医療機関・総合病院・複数の開業医院並びに老健施設・特別養護老人施設および一般家庭等の高齢者軽度痴呆患者が使用する情報端末とデータ処理センタとを回線を通じて即時情報交換し、利用者(患者)に訓練プログラム（訓練用問題）の提供、訓練状況などの利用者の要望に応えた情報を提供し、かつ情報の送受信内容を記録するものである。
【実施例】
【００１２】
以下、電子認知症予防訓練システムの実施形態を図１〜図５に基づいて説明する。図１は、情報端末（タブレットＰＣ、パソコンなど）を用いてサーバーに接続した直後のメニュー画面を示す。メニュー項目は、順次更新されるようにし、使用者は最新の内容を使用できる。図２は、問題の開始画面の１例を示す。問題のタイトル、問題の説明、文字の大きさを変更するアイコンなどが表示され、簡単に操作でき、理解できるように配慮されている。図３は、訓練結果を表示する画面の１例である。過去の結果との比較も行うことで、使用者に楽しんで、意欲的に問題に取り組んでもらえるように配慮する。図４は、「左右判断」を行わせる問題画面例である。問題が表示されるまでの待ち時間を数字のカウント表示で表している。図５は、質疑応答形式の問題を行う画面の１例である。図６は、３×３個のコマをランダムに表示して、並べ替えさせる問題を表示する画面の１例である。
【００１３】
図１から図６まで示した画面は、実施形態の1例であり、訓練の進展に従って、内容も高度になっていく。
【図１】
2017021501.tif 000003
【図２】
2017021501.tif 000004
【図３】
2017021501.tif 000005
【図４】
2017021501.tif 000006
【図５】
2017021501.tif 000007
【図６】
2017021501.tif 000008
(57)【要約】【課題】  試料液体を光学分析のために入れるキュベットにおいて、精密で高度な分析を安価で実施できる方法を提供する。【解決手段】  本体１に切り欠き２を設け、板３を固定手段４で抑えて試料液体を入れる部屋を形成し、板３は高品質で分析に適した材質を用いてなおかつ汚損した際には交換できることを特徴とする光学分析用キュベット【選択図】図１
2017122700.tif 000002
【特許請求の範囲】
【請求項１】
光学分析の用途で試料液体を入れる光学分析用キュベットにおいて、側面のうち１面または相対する２面に開口した切り欠きまたは孔を設け、切り欠きまた孔の開口部分を塞ぐ透明な板を設け、透明な板を密着させて固定する固定手段を設けたことによるキュベット。
【請求項２】
請求項１において、透明な板は外面に透明導電膜を蒸着したものであって、その両端に電極を設け、電極への通電手段を設けたことによる光学分析用キュベット。
【発明の詳細な説明】
【技術分野】
【０００１】  本発明は、光学検出において試料液体を収めるキュベットに関するものである
【背景技術】
【０００２】  従来から、試料液体に対してレーザー光を照射してその波長の変遷から成分を調査する光学的な分析方法があり、その試料液体を収める直方体や円錐状などの容器であるキュベットがあった。
【発明の開示】
【発明が解決しようとする課題】
【０００３】  キュベットを通して試料液体にレーザーなどの光を当てる際、その面は透明である必要がある。さらに、より精密な分析を行うには光を通しやすくかつ目的以外の波長が検出されないように透明度を高める必要があり、純度の高い高品質なガラスを用いていた。これらは切削または張り合わせで一体化しており、加工の手間がかかるうえに全体を同じ材質で製作するため、コストが高くなっていた。
【課題を解決するための手段及び発明の効果】
【０００４】  分析で照射するレーザー光が当たる容器の面だけ交換できるよう、別の構成にしたことを特徴とするものである。光が当たる面だけ純度の高いガラスにする事で、コストを抑えることが出来る。さらに洗浄しやすく、汚損しても交換すればよいので、費用を抑えられる上に常に新しい状態を維持でき、精密な分析を安価に実施できる。
【発明を実施するための最良の形態】
【０００５】  以下、本発明における最良の形態を示す。
（イ）本体１に切り欠き２を設け、側面にて開口する。
（ロ）切り欠き２を板３で覆う。板３は合成石英など高品質で純度の高い透明なガラスとする。
（ハ）板３を固定手段４で抑え、試料液体が漏れないように固定する。
（ニ）板３は透明導電膜６を蒸着し、通電させて抵抗熱で発熱させることもできる。
本発明は以上の様な構造で、使用する際は次のようにする。【０００６】  キュベットの基となる本体１の上面から側面に通ずる切り欠き２を設ける。本体１は直方体または円柱あるいは円錐の形状でも良く、材質はガラスや樹脂などがあるが、特に高品質なガラスを用いる必要はなく、また不透明でも良い。切り欠き２は四角、三角、丸などの形状があり、側面の１つだけでなく相対する面にまで貫通させる切り欠き２ａでも良い。【０００７】  分析を施す試料液体が微量である場合を踏まえ、試料液体がたまる部位は数ｍｍ立法程度でも良いが、加熱して分析することもあって、その際に生じる気泡を逃すための空間を上方または横方向に設けても良い。【０００８】  切り欠き２の側面に開口された部位へ板３をあてがって試料液体が入る部屋を形成する。光学分析を行う際はこの板３を通して試料液体にレーザー光を照射するので、照射源の波長が板３に影響されて変化したりまたはそれ以外の波長の光が入ってきたりしないよう、材質は透明度が高くて純度の高い例えば合成石英など分析に適したものを用いる。【０００９】  試料液体を入れても漏れないよう、板３を固定手段４によって抑えて固定する。なお、板３には透明導電膜６を蒸着して両端に銀ペースト電極７を設け、固定手段４に金属などの通電手段５を設けて板３へ接触導通させて通電すると生じる抵抗熱で簡易的に試料液体を加熱させることもできる。その際の透明導電膜６はレーザー光が照射される面積だけ蒸着せず、分析を妨げないようにしても良い。
【図面の簡単な説明】
【００１０】
【図１】  「本発明の構成を示した斜視図である。」
【符号の説明】
【００１１】１  本体
２  切り欠き
２ａ  切り欠き
３  板
４  固定手段
５  通電手段
６  透明導電膜
７  銀ペースト電極
【図１】
2017122700.tif 000003
【図２】
2017122700.tif 000004
【図３】
2017122700.tif 000005
【手続補正書】
【提出日】平成28年2月20日(2016.2.20)
【手続補正３】
【補正対象書類名】明細書
【補正対象項目名】００１０
【補正方法】変更
【補正の内容】
【００１０】
【図１】  「本発明の構成を示した斜視図である。」
【図２】  「本発明の別の構成を示した斜視図である。」
【図３】  「本発明に発熱機能を付加した構成を示した斜視図である。」
(57)【要約】      （修正有）【課題】柄を延長して本体が届く深さの土砂を取り出すことが可能となる穴掘り器を提供する。【解決手段】ソケット１に接続され、弾性体５で引き寄せられた二個の相対するスコップ６−１、スコップ６−２の取っ手先端部が連結具２で結合されて開口部４に挿入され、抜けないよう中間に離脱防止棒３が挿入され、スコップ６−１の先端の近くに固定した蝶番支え金具７が起こされてスコップ６−１、スコップ６−２が開いた状態で柄に接続された本体を、人力で堆積した土砂に押し当てると、土砂で押された蝶番支え金具７がスコップ６−２から外れ、弾性体５が縮まることによりスコップ６−１、スコップ６−２の先端が閉まって土砂を挟み、本体に接続する柄を延長して届く深さの土砂を取り出すことが可能となる。【選択図】図１
2017122381.tif 000002
【特許請求の範囲】
【請求項１】
ソケット１、連結部２、離脱防止棒３、開口部４、弾性体５、スコップ６−１、スコップ６−２、蝶番支え金具７を備えたことを特徴とする穴掘り器
【発明の詳細な説明】
【技術分野】
【０００１】  この発明は、穴掘り器に関する。
【背景技術】
【０００２】従来の掘り方は、柄が届く深さの土砂を人力で捕捉し取り出す器具である。
【発明の概要】
【発明が解決しようとする課題】
【０００３】  しかしながら、以上の技術によれば人が柄に力を加えて土砂を捕捉するため、本体が届く深さまでしか掘れない。
そこでこの発明は、土砂に当たると支え金具が外れて弾性体の力でスコップが土砂を捕するので、柄を延長して本体が届く深さの土砂を取り出すことが可能となる穴掘り器を提供することを課題とする。
【課題を解決するための手段】
【０００４】以上の課題を解決するために、ソケット（１）に接続され、弾性体（５）で引き寄せられた二個の相対するスコップ（６−１）、スコップ（６−２）の取っ手先端部が連結具（２）で結合されて開口部（４）に挿入され、抜けないよう中間に離脱防止棒（３）が挿入され、スコップ（６−１）の先端の近くに固定した蝶番支え金具（７）が起こされてスコップ（６−１）、スコップ（６−２）が開いた状態で柄に接続された本体を、人力で堆積した土砂に押し当てると、土砂で押された蝶番支え金具（７）がスコップ（６−２）から外れ、弾性体（５）が縮まることによりスコップ（６−１）、スコップ（６−２）の先端が閉まって土砂を挟み、本体に接続する柄を延長して届く深さの土砂を取り出すことが可能であることを特徴とする穴掘り器である。
【発明の効果】
【０００５】この発明によれば、柄を延長することにより深い場所の土砂などを取り出すことが可能になる。
【図面の簡単な説明】
【図１】この発明の実施例を示した斜視図である。
【図２】この発明の実施形態で準備完了前を示した側面図である。
【図３】この発明の実施形態で準備完了後を示した側面図である。
【図４】この発明の実施例を示した正面図である。
【発明を実施するための形態】
【０００６】  この発明の実施形態を図１に示す。
ソケット１、連結部２、離脱防止棒３、開口部４、弾性体５、スコップ６−１、スコップ６−２、蝶番支え金具７を備えている。
【実施形態の効果】
【０００７】この実施形態によれば、柄を接続した本体の蝶番支え金具を手で起こしスコップが開いた状態で土砂の層に強く押し込むことにより、土砂で押された蝶番支え金具が外れ弾性体の力で二個のスコップが土砂を挟んだ状態で持ち上げ、スコップを手で開いて土砂を取り出す。
【符号の説明】
【０００８】１  ソケット
２  連結具
３  離脱防止棒
４  開口部
５  弾性体
６−１  スコップ
６−２  スコップ
７  蝶番支え金具
【図１】
2017122381.tif 000003
【図２】
2017122381.tif 000004
【図３】
2017122381.tif 000005
【図４】
2017122381.tif 000006
(57)【要約】【課題】断熱性能を向上させ結露の発生を抑制し建物の長命、遮音、省エネ効果をもたらす木造建築物の壁断熱構造を提供する。【解決手段】屋外側に構造用合板を配し、その屋外側（外）に木製繊維断熱材である３を施工し、３の上に外部仕上げ材を施工する。柱６と間柱７間（中）に木製繊維断熱材２を施工する。さらに室内側（内）に１の木製繊維断熱材を施工する。外部仕上げ材、外、中、内断熱ともにすべてが水蒸気を透す材料を採用する。【選択図】図１
2017122380.tif 000002
【特許請求の範囲】
【請求項１】
木造建築物の屋外側の仕切りとなる壁、柱の外側、柱の中、柱の室内側の全てに木製繊維断熱材を施工する高断熱高気密工法２１０。
【請求項２】
外、中、内の断熱材として全て自然素材である『木』から出来た透湿性の高い自然素材の断熱材を施工する高断熱高気密工法２１０。
【請求項３】
請求項１、請求項２の高い性能の壁断熱構造により結露の発生を抑制し、遮音、省エネ効果を発揮する高断熱高気密工法２１０。
【請求項４】
外断熱として柱の外側に施工される木製繊維断熱材には、直接、外装材を塗り施工できる高断熱高気密工法２１０。
【発明の詳細な説明】
【技術分野】
【０００１】本発明は、木造建築の壁断熱構造に関するものである。
【発明の概要】
【発明が解決しようとする課題】
【０００２】従来の木造建築における断熱工法は、柱の外側（外断熱）又は、柱の中（充填断熱）などのいずれか又は、両方に断熱施工を行う工法に限定されている。【０００３】柱の外側（外断熱）に使用される断熱材の多くは石油系の断熱材がある。石油系の断熱材は、原料が石油のため燃えやすく、燃えると有毒ガスが発生するという欠点があることから、火に強く万が一の火災時にも有毒ガスを出さない断熱材を使用する。【０００４】柱の中（充填断熱）に施工される代表的な断熱材にグラスウールがある。グラスウールは水蒸気を通さず、結露により湿れば断熱性能が低下しカビなどの原因にもなることから、水蒸気を透し結露を発生させない断熱材を使用する。【０００５】本発明は、以上のような従来の欠点から断熱性能を向上させ、結露の発生を抑制する木製繊維断熱材  高断熱高気密工法２１０を提供することを目的としている。
【課題を解決するための手段】
【０００６】本発明は、柱の外壁（外断熱）及び、柱の中（中断熱）さらに、柱の室内側（内断熱）の全てに木製繊維断熱材を施工する。【０００７】さらには、外断熱として柱の外側に施工される木製繊維断熱材に、直接、水蒸気を透すことができる外装材を塗り施工する。
【発明の効果】
【０００８】以上の説明から明らかなように、本発明より下記の効果が得られる。
（１）外断熱の材料に直接塗れる外装材や、外、中、内に施工される木製繊維断熱材は水蒸気を透す材料であり、水蒸気の移動を妨げる素材が使用されていないため、外装材を含め２１０ｍｍもの厚さの断熱材を使用した壁でも、結露が発生しないことに成功した。【０００９】（２）柱の外側に施工した木製繊維断熱材には、直接、外装材を塗り施工することが可能であるため、胴ぶちなどの将来腐食が心配される材料を使用せず施工できる。【００１０】（３）外、中、内の全てに断熱材を施工することにより遮音効果を実現。【００１１】（４）空気を透さず、水蒸気のみ透す断熱材のため、夏は涼しく冬は暖かく冷暖房の省エネも実現。
【図面の簡単な説明】
【００１２】
【図１】本発明の軸組工法による外周部の壁断面図である。
【発明を実施するための形態】
【００１３】以下、本発明の実施形態を図に基づき説明する。
図１には、本発明の軸組み工法を採用した建物での、屋外側の仕切りとなる壁の構造を断面図として示した例である。
【００１４】外壁の構造は、基本的に従前の軸組み工法であり、柱６間に適宜、間柱７を組み込み、壁板や構造用合板の代わりに無垢の木材５を釘着する。
【００１５】さらに、無垢の木材５の外側に自然素材である木製繊維断熱材３で全て、覆うように釘着する。
【００１６】そして、木製繊維断熱材３に直接、外部仕上げ材４を施工する。
【００１７】また、室内側には柱６と、適宜組み込まれた間柱７の間に自然素材である木製繊維断熱材２を充填し、更に室内側に自然素材である木製繊維断熱材１を施工する。
【産業上の利用可能性】
【００１８】木造建築は軸組工法と枠組工法が一般的であるが、本発明はいずれの壁構造にも採用できるものである。
【符号の説明】
【００１９】１  室内側（内）  木製繊維断熱材５０ｍｍ
２  柱・壁の中（中）  木製繊維断熱材１２０ｍｍ
３  柱外側（外）  木製繊維断熱材４０ｍｍ
４  外部仕上げ材
５  無垢の木材
６  柱
７  間柱
【図１】
2017122380.tif 000003
(57)【要約】【課題】本発明は、頭皮指圧をする時日常の活動中簡単に実施出来る様に帽子内側に突起付インナーを設けた血流促進帽子を提供する。【解決手段】帽子（１）の内側に突起付インナー（２）を設けたことを特徴とする。【選択図】図１
2017122298.tif 000002
【特許請求の範囲】
【請求項１】
帽子の内側に突起付インナーを設けたことを特徴とする。
血流促進帽子。
【発明の詳細な説明】
【技術分野】
【０００１】本発明は、頭皮指圧をする時日常の活動中で簡単に実施出来る様に帽子の内側に突起付インナーを取付けた血流促進帽子を提供する。
【背景技術】
【０００２】現在、男性・女性を問わず薄毛・抜け毛で悩む人は多い。病院での治療・理容院美容院での頭皮マッサージ指圧を受けたり育毛剤の使用等改善方法は有るが、費用が高額だったり時間を多く費やしたりで継続性の無い改善方法であった。
【先行技術文献】
【特許文献】
【０００３】
【特許文献１】特開２００７−１１３１５９
【特許文献２】特開２０１５−０７１８５０
【非特許文献】
【０００４】
【非特許文献１】
【非特許文献２】
【発明の概要】
【発明が解決しようとする課題】
【０００５】  これには次のような欠点があった。
（イ）病院での治療・理・美容院でのヘッドスパ・育毛剤の使用等いずれの改善方法も高額であり多くの時間を要する。
（ロ）本来、薄毛・抜け毛等の改善方法は、継続して実施しなければ効果を望めないものなのに（イ）の理由により継続性が無くなってしまう。
（ハ）上記の先行技術特許でも自宅で手軽に出来るものはない。
【課題を解決するための手段】
【０００６】  帽子（１）の内側に突起付インナー（２）を設けたことを特徴とする。
【発明の効果】
【０００７】（イ）本発明を使用する時は、帽子内側（１）と一体に設けた突起付インナー（２）で頭頂部を掌で押して血流の促進を図ればよい。
ウォーキング：ジョギング：ショッピング：ドライブ：ガーデニング等日常活動の中、簡単に頭皮の血流が促進され薄毛の予防にもつながる。
（ロ）指圧突起付インナーが帽子と一体になっているので気が向いた時・思いたった時、指圧を実施することが出来る。
（ハ）美容院・理容院等に構えて出向く事なく自宅で簡単に気軽に頭皮指圧・マッサージを実施する事が出来る。
（二）育毛剤との併用により育毛剤だけの使用時より効果があらわれる。
【図面の簡単な説明】
【０００８】
【図１】本発明の右側断面図である。
【図２】本発明の底面図である。
【発明を実施するための形態】
【０００９】  以下、発明の実施をする為の形態について説明する。
突起（３）に接着剤を付けインナー（２）に貼り付ける。
突起付インナー（２）をホック（４）で帽子（１）の内側に取付ける。
本発明は、以上のような構造である。
【実施例】
【００１０】
【産業上の利用可能性】
【００１１】
【符号の説明】
【００１２】  １帽子  ２インナー  ３指圧突起  ４ホック
【受託番号】
【００１３】
【配列表フリーテキスト】【配列表】
【図１】
2017122298.tif 000003
【図２】
2017122298.tif 000004
(57)【要約】【課題】多くのスピーカーを使ったサラウンド方式は設置が難しく、普及しにくい。それで、特願２０１５−２１３４３２で考案した「音の空気吸収を考慮した残響音の生成方法」を活用して２つのスピーカーだけを用いて残響効果を持たせるようにしたい。【解決手段】特願２０１５−２１３４３２で考案した「音の空気吸収を考慮した残響音の生成方法」を活用して生成した残響音の信号と元のステレオ信号の合成を信号のレベルで先に行い、その合成された信号をアンプを使ってスピーカー、又は、ヘッドフォンで再生する。【選択図】図１
2017108363.tif 000002
【特許請求の範囲】
【請求項１】
ステレオ信号の左の音声信号（Ｌ）と右の音声信号（Ｒ）の差の成分（Ｌ−ｋＲ、及び、Ｒ−ｋＬ、０＜ｋ≦１）を１２ｄＢ／ｏｃｔのローパスフィルタで高域を減衰して生成した信号と元のステレオ信号を合成し、その合成された信号をアンプを通してスピーカー、又は、ヘッドフォンで再生することによりバーチャルサラウンドを実現する方法。
【発明の詳細な説明】
【技術分野】
【０００１】  本発明は、音の空気吸収を考慮した残響音の生成方法を利用したバーチャルサラウンド技術に関するものである。
【背景技術】
【０００２】  現在、スピーカーを２つだけ用いるステレオシステムが主流を占めており、多くのスピーカーを用いたサラウンド方式は普及しにくい。それで、音の空気吸収を考慮した残響音の生成方法をバーチャルサラウンドに活用したい。
【先行技術文献】
【特許文献】
【０００３】
【特許文献１】  実用新案登録第３２００７３７号
【特許文献２】  特願２０１５−２１３４３２
【発明の概要】
【発明が解決しようとする課題】
【０００４】  多くのスピーカーを用いたサラウンド方式は設置が難しく、普及しにくい。それで、特願２０１５−２１３４３２で考案した「音の空気吸収を考慮した残響音の生成方法」を活用して２つのスピーカーだけを用いて残響効果を持たせるようにしたい。
【課題を解決するための手段】
【０００５】  残響音と直接音の合成を信号のレベルで先に行い、その合成された信号をアンプを使って再生する。つまり、音の空気吸収を考慮した残響音の生成方法で生成された信号と元のステレオ信号を適度な割合で合成し、その合成された信号をアンプで増幅してスピーカー、又は、ヘッドフォンで再生する。図１は、ステレオ信号の左の音声信号（Ｌ）と右の音声信号（Ｒ）の差の成分（Ｌ−ｋＲ、及び、Ｒ−ｋＬ、０＜ｋ≦１）を１２ｄＢ／ｏｃｔのローパスフィルタで高域を減衰して生成した信号と元のステレオ信号を合成して、バーチャルサラウンド用の信号を生成する本発明を図に表したものである。
【発明の効果】
【０００６】  本発明は次のような効果を奏する。
（１）サラウンド効果はスピーカーを複数用いるときよりも限られるが、スピーカーを２つだけ用いる通常のステレオシステムで実現できる。【０００７】  （２）試聴の結果、残響音と直接音の合成を信号のレベルで行ってもある程度の効果があることが分かる。これは、システムの線形性（重ね合わせの原理が成り立つこと）が実用上近似的に成立していることを示している。【０００８】  （３）スピーカーだけでなくヘッドフォンでも同様の効果がある。【０００９】  （４）簡単な方法なので容易に実現できる。【００１０】
【図面の簡単な説明】
【００１１】
【図１】音の空気吸収を考慮した残響音の生成方法（特願２０１５−２１３４３２）で生成された信号と元の信号を合成し、その合成された信号をアンプで増幅してスピーカー、又は、ヘッドフォンで再生する本発明を示したものである。
【発明を実施するための形態】
【００１２】  以下、本発明の実施の形態を図に基づいて説明する。
【実施例１】
【００１３】  図１に示した本発明は簡単なミキサーを用いて実現できる。音の空気吸収を考慮した残響音の生成には、特願２０１５−２１３４３２の実施例１をそのまま用いている。また、信号の合成にはパッシブなミキサー（Ｆｏｓｔｅｘミニ・ジャム  ＰＣ−２Ｌｉｖｅ）を用いた。ミキサーで音量の割合を調整して、大体同じ音量に調整すると効果が分かりやすい。このバーチャルサラウンドを使った時の方が使わない時に比べて音が広がり豊かになる。これはフロントにサラウンド用のスピーカーを２つ用いて残響音を生成した場合に近い効果がある。また、通常のスピーカーの代わりにヘッドフォンを用いても同様の効果が認められる。
【符号の説明】
【００１４】Ｌ                  ステレオ信号の左の音声信号。
Ｒ                  ステレオ信号の右の音声信号。
Ｌ−ｋＲ、Ｒ−ｋＬ  ステレオ信号の左の音声信号（Ｌ）と右の音声信号（Ｒ）の差の成                    分で、ｋは、０＜ｋ≦１。ｋ＝１のとき、Ｌ−Ｒ、Ｒ−Ｌである。
【図１】
2017108363.tif 000003
(57)【要約】【課題】  本考案では、携帯電話本体とは別に、サブ液晶本体を別途追加する事で、携帯電話の操作性や視認性の向上を図る。【解決手段】  サブ液晶接続用ケース１の、一方のページに、サブ液晶本体２を備え、反対側のもう一方のページには、携帯電話本体８を装着する携帯電話ホルダー部７を備え、携帯電話本体８を携帯電話ホルダー部７で固定装着し、サブ液晶本体２と携帯電話本体８を、携帯電話本体８にある接続コネクタとサブ液晶接続用ケース１にある接続コネクタ４で接続、あるいは無線による接続で、携帯電話本体８とサブ液晶本体２をデザリングする。【選択図】図２
2017108364.tif 000002
【特許請求の範囲】
【請求項１】
サブ液晶接続用ケースの、一方のページに、サブ液晶本体を備え、反対側のもう一方のページには、携帯電話本体を装着する携帯電話ホルダー部を備え、サブ液晶本体と携帯電話本体を、携帯電話本体にある接続コネクタと、サブ液晶接続用ケースにある接続コネクタで接続、あるいは無線による接続で、携帯電話本体とサブ液晶本体をデザリングする事を特徴とする携帯電話用のサブ液晶。
【請求項２】
サブ液晶本体にある充電池から、携帯電話本体にある充電地へ、接続用コネクタを介して充電供給する機能を特徴とする請求項１記載の携帯電話用のサブ液晶。
【発明の詳細な説明】
【技術分野】
【０００１】  本考案は携帯電話用のサブ液晶に関する。
【背景技術】
【０００２】  近年の携帯電話は、様々なコンテンツやメディア展開が広がり、携帯電話の使用目的も多種多様になりつつある。【０００３】  一方で、携帯電話の液晶画面一つだけでは、操作性や視認性が足りない面も出てきている。
【発明の開示】
【発明が解決しようとする課題】
【０００４】  本考案では、携帯電話本体とは別に、サブ液晶本体を別途追加する事で、携帯電話の操作性や視認性の向上を図る。
【課題を解決する為の手段】
【０００５】  サブ液晶接続用ケース１の、一方のページに、サブ液晶本体２を備え、反対側のもう一方のページには、携帯電話本体８を装着する携帯電話ホルダー部７を備え、携帯電話本体８を携帯電話ホルダー部７で固定装着し、サブ液晶本体２と携帯電話本体８を、携帯電話本体８にある接続コネクタとサブ液晶接続用ケース１にある接続コネクタ４で接続、あるいは無線による接続で、携帯電話本体８とサブ液晶本体２をデザリングする。
【発明の効果】
【０００６】  通常は液晶画面が一つである携帯電話に対し、本考案によって、サブ液晶本体２を新たに追加する事が可能となる。追加されたサブ液晶画面３により、操作性や視認性が大幅に向上する。
【０００７】  従来の液晶画面ではウェブブラウザをする際にも、表示エリアが液晶画面一つ分しかないが、本考案によれば、隣のサブ液晶画面３にも追加表示ができる。画面の操作以外にも、一時的に別のウェブサイトを開いたり、あるいはウェブサイトを開いたまま、隣の液晶画面にて別途ファイル操作等のプログラムを実行できる。
【０００８】  サブ液晶接続用ケース１の、サブ液晶本体２と携帯電話本体８は、ダブルヒンジ部６にて開閉でき、携帯電話本体８で電話等の一画面で足りる操作で使用する場合には、不要になるサブ液晶本体２を携帯電話本体８の背面へと回転移動して折りたたみ、携帯電話本体８を使用する。
【０００９】  図３は電子書籍を使用した例である。通常の携帯電話では一画面である為、一画面に片方のページ限定の表示になるが、本考案ではサブ液晶画面３を追加する事により、電子書籍や電子漫画等を、携帯電話本体８の液晶とサブ液晶画面３の見開きによる、展開表示が可能となる。
【００１０】  また、どちらの液晶画面もタッチパネルを搭載する事により、タップやスライドにてページの送りや戻しの操作ができるため、操作性が格段に向上する。
【００１１】  一般的な本媒体による書籍販売では、ほとんど全てが見開きにて使用されており、この見開きに対応できる、二画面表示可能な電子書籍は非常に優れてるのがわかる。
【００１２】  図４はファイル操作を示した例である。ウィンドウ画面やファイル操作などを、両画面でタップやスライド操作で移動できることにより操作性の向上が期待できる。
【００１３】  タップやスライド操作されたウィンドウ画面やファイルは携帯電話本体８の画面から、隣のサブ液晶画面３へと送られる。サブ液晶画面３からの操作からでも、サブ液晶画面３から隣の携帯電話本体８の画面へとタップやスライド操作により、ウィンドウ画面やファイルの移動操作ができる。
【００１４】  これにより一時的に表示したくないウィンドウ画面やファイル等を、隣のサブ液晶へと送り、戻しの操作が可能である。
【００１５】  図５はウェブブラウザの使用例である。一般的な携帯電話では縦画面に対応したブラウザなどを用いてるが、やはり一画面操作のため、表示できる範囲が限られている。
【００１６】  本考案では、液晶画面を二つに増やせることにより、上画面と下画面を利用してのスクロール表示や、別サイトを並べての表示が可能となる。
【００１７】  図６は三者通話の使用例を示した正面図である。二画面に増やす事により、三者通話をする際に、片方の画面に通話者Ａの動画もしくは静止画を表示し、もう片方の画面に通話者Ｂの動画もしくは静止画を同時表示する事が可能となる。
【００１８】  サブ液晶本体２にはバッテリーが内蔵されており、接続コネクタ４を介し、携帯電話本体８側へ送電供給する、携帯電話本体８の予備バッテリーとしても利用が可能である。
【発明を実地する為の最良の形態】
【００１９】  サブ液晶接続用ケース１にある携帯電話用の接続コネクタ４と、携帯電話本体８の接続コネクタを接続し、サブ液晶接続用ケース１の携帯電話ホルダー部７で、携帯電話本体８とサブ液晶接続用ケース１を固定装着する。
【００２０】  携帯電話本体８とサブ液晶本体２は接続コネクタ４にて接続され、携帯電話本体８とサブ液晶本体２をデザリングする事により、サブ液晶本体２を携帯電話本体８のサブ液晶画面３として使用可能になる。
【図面の簡単な説明】
【００２１】
【図１】  携帯電話用のサブ液晶と、携帯電話用のサブ液晶用ケースを示した正面図である。
【図２】  携帯電話用のサブ液晶用ケースに携帯電話を装着した状態を示した正面図である。
【図３】  電子書籍コンテンツの操作例を示した正面図である。
【図４】  ウィンドウやファイルの操作例を示した正面図である。
【図５】  ウェブブラウザの操作例を示した正面図である。
【図６】  三者通話の使用例を示した正面図である。
【符号の説明】
【００２２】１  サブ液晶接続用ケース
２  サブ液晶本体
３  サブ液晶画面
４  接続コネクタ
５  外部用接続コネクタ
６  ダブルヒンジ部
７  携帯電話ホルダー部
８  携帯電話本体
９  携帯電話の背面カメラ部用窓
【図１】
2017108364.tif 000003
【図２】
2017108364.tif 000004
【図３】
2017108364.tif 000005
【図４】
2017108364.tif 000006
【図５】
2017108364.tif 000007
【図６】
2017108364.tif 000008
(57)【要約】【課題】  本発明は、箸を使用しないと食べれなかったぎょうざを、手軽に片手で食べられるようにして、地域の野菜を多く使用し、野菜の摂取が不足がちな若者もヘルシーで多くの人に食べていただけるように、ぎょうざの餡を肉で巻き、串に刺して食べやすくするために工夫したくしぎょうざを提供する。提供する。【解決手段】  ぎょうざ餡（１）が崩れない様、薄切り肉（２）で巻き、串（３）で刺し、大根おろしたれ（４）をかけて食べやすくしたくしぎょうざ。【選択図】図１
2017108727.tif 000002
【特許請求の範囲】
【請求項１】
ぎょうざ餡（１）が崩れない様、薄切り肉（２）で巻き、串（３）で刺し、大根おろしたれ（４）をかけて食べやすくしたくしぎょうざ。
【発明の詳細な説明】
【技術分野】
【０００１】  本発明は、箸を使用しないと食べれなかったぎょうざを、手軽に片手で食べられるようにして、地域の野菜を多く使用し、野菜の摂取が不足がちな若者もヘルシーで多くの人に食べていただけるように、ぎょうざの餡を肉で巻き、串に刺して食べやすくするために工夫したくしぎょうざに関するものである。
【背景技術】
【０００２】  従来より、ぎょうざは主にぎょうざの餡が皮に包まれ、箸で食卓で食べるものとされていたものである。
【先行技術文献】
【特許文献】
【０００３】
【特許文献１】  特開２００６−１０１７３４号公報
【発明の概要】
【発明が解決しようとする課題】
【０００４】  これは、次のような欠点があった。
（イ）ぎょうざは、食事のおかずやつまみとして、醤油などをつけ、箸でたべるのが通常    で、どこでも誰もが食べられるものではなかった。
（ロ）野菜摂取が不足がち、野菜が嫌いな人でも手軽に、美味しく食べやすくしたものが    なく、ぎょうざを食べる方法が少なかった。
（ハ）ぎょうざを片手で食べることができず、餡がたれの中に崩れてしまい間食は難しい    ので、外などでは食べることができなかった。
本発明は、これらの欠点を解決するために発明されたものである。
【課題を解決するための手段】
【０００５】  ぎょうざ餡（１）の中に、豚ひき肉、キャベツ、にら、しいたけ、筍、チーズ、春雨、醤油、ごま油、塩、こしょう、にんにく、生姜、が含まれ、中心に串（２）が刺され、餡の回りは、薄切り肉（３）で巻きとじ込む。
大根おろしたれ（４）は、たれがくしぎょうざに絡むよう、醤油、酢、大根おろし、昆布だしを火にかけ澱粉と水で溶いたものを使用する。
本発明は、以上の構成からなるくしぎょうざである。
【発明の効果】
【０００６】  本発明により、肉と野菜がバランス良く摂取でき、子供からお年寄りまで食べやすく、スポーツ観戦やサービスエリアなどでも手軽に食べれる。
また、ぎょうざ餡の中に春雨を入れたことにより、肉汁などの旨み成分を吸収し、外に逃がさない工夫をしてある。
また、安価でどこでも栄養を摂取でき美味しく食べられ健康になる。
【図面の簡単な説明】
【０００７】
【図１】  本発明の正面図である。
【図２】  本発明のＡ−Ａ断面図である。
【図３】  ぎょうざ餡に薄切り肉を巻く作り方を説明した分解状態の平面図である。
【発明を実施するための形態】
【０００８】  材料を説明する。
ぎょうざ餡（１）の中に、豚ひき肉、キャベツ、ニラ、椎茸、筍、チーズ、春雨、醤油、ごま油、塩、胡椒、にんにく、生姜、が含まれ、中心に串（２）が刺され、餡の回りは、薄切り肉で巻とじ込む。
大根おろしたれ（４）は、たれがくしぎょうざに絡むよう、砂糖、醤油、酢、昆布だしを火にかけ、澱粉と水で溶いたものを使用する。
材料は、豚ひき肉、キャベツ、にら、椎茸、筍、チーズ、春雨、醤油、ごま油、塩こしょう、にんにく、生姜、豚バラうす切り肉、水、砂糖、酢、醤油、片栗粉で適宣調整する。
作り方を説明する。
（イ）はじめに春雨をゆでて、ざるにあげ、水分を蒸発させる。
（ロ）ひき肉と塩とおろしにんにく、おろししょうが、をよく混ぜる。
（ハ）キャベツをみじん切りして、よく絞る。
（二）にら、しいたけ、たけのこ、をみじん切りにして（１）を全て混ぜ合わせ、ラップ      し１日冷蔵庫でねかせる。
（ホ）餡を豚バラスライスで巻、中央に串を刺し、フライパンに少量油をひき中火にかけ      る。
（ヘ）かるく焼き目がついたら少量の水を入れ、蓋をし蒸しやきにする。
（ト）砂糖、醤油、酢、水、昆布だしを火にかけ、たれを作る。
（ハ）（ヘ）に（ト）をかける。
ぎょうざの具を肉で巻いて刺してある。
ぎょうざの肉は、ときに限定しまい。
形や大きさ、たれの味やその有無は限定しない。
串は、竹串に限らず、串状のものであれば良い。
【符号の説明】
【０００９】１  ぎょうざ餡
２  串
３  薄切り肉
４  大根おろしたれ
【図１】
2017108727.tif 000003
【図２】
2017108727.tif 000004
【図３】
2017108727.tif 000005
(57)【要約】【課題】犬の糞の量に応じて筒の容量を調節することを得る。【解決手段】固定金具９の締めつけビス１１を弛め或いは締めつけて、回転板４を回転させ、線７の長さを変えて、筒２の伸縮を計る。【選択図】図２
2017108730.tif 000002
【特許請求の範囲】
【請求項１】
スプリング１が内部に設けられた筒２の底板３に合せて取り付けられた回転板４は、筒２の上部の枠５の取り付け穴に固定された線７と、回転板４に設置された取り付け金具８とにより各々３ヶ所において接続され、回転板４を周方向に回転させると、移動した長さ分の線７が、底板３と回転板４の隙き間に滑らかに収納されて、筒２を上下に自在にスプリング１の弾性によって伸縮させ得るようにした該筒の伸縮装置の構造。
【発明の詳細な説明】
【技術分野】
【０００１】  本発明は、犬の散歩中に犬の糞を簡単に処理する装置に関する。
【背景技術】
【０００２】  従来の犬の糞取り器に関しては、筒の内部にスプリングを設けたものがある（例えば特許文献１参照。）。【０００３】  以下、図１により従来の犬の糞取り器の筒について説明する。図において、スプリング１、筒２、底板３、枠５が従来の筒である。
【先行技術文献】
【特許文献】
【０００４】
【特許文献１】  特開２００３−３１００８４号  公報
【発明の概要】
【発明が解決しようとする課題】
【０００５】  以上に述べた筒においては、その容量が一定であるために、犬の大小に応じて適切に糞を処理し得ない不便さがあった。【０００６】  本発明は、このような従来の問題を解決しようとするものであり、筒を伸縮可能にすることにより、犬の大小にかかわらず適宜に糞を収納できる器具を提供しょうとするものである。
【課題を解決するための手段】
【０００７】  そして、本発明は、上記目的を達成するために、スプリングが内部に設けられた筒の底板に合わせて取り付けられた回転板は、筒の上部の枠の取付け穴に固定された線と回転板に設置された取り付け金具とにより、各々３ヶ所において接続され、回転板を周方向に回転させると、移動した長さ分の線が、底板と回転板の隙間に滑らかに収納されて、筒を上下に自在にスプリングの弾性によって伸縮させ得るように設けたものである。
【発明の効果】
【０００８】  本発明の筒は、無段に伸縮させることができるから、犬の大きさにかかわらず糞を収納できるので便利である。
【図面の簡単な説明】
【０００９】
【図１】  本発明の実施形態を示す筒の斜視図
【図２】  同筒の動作を示す側面図
【図３】  同筒の回転板の平面図
【発明を実施するための形態】
【００１０】  以下、本発明の実施の形態を図１〜図３に基づいて説明する。
【００１１】  図１は従来の犬の糞取り器２に本発明による底板４が取り付けられている状態を示し破線はスプリング１を、点線は本発明による線７を表わしている。
【００１２】  図２は、筒２が収縮したときの状態を点線で表わして居り、太目の点線は線７の移動状態を示し、又、回転板４を、その側面で固定するための固定金具９が設けられている。
【００１３】  図３は、線７の移動状態を点線で示している。
【符号の説明】
【００１４】  １、スプリング
２、筒
３、底板
４、回転板
５、枠
６、取り付け穴
７、線
８、取り付け金具
９、固定金具
１０、取り付けビス
１１、固定金具９の締めつけビス
【図１】
2017108730.tif 000003
【図２】
2017108730.tif 000004
【図３】
2017108730.tif 000005
(57)【要約】【課題】精度の良い旋回流の三次元計測を行う旋回流測定装置を提供する。【解決手段】トレーサを供給する供給器と、回転機械の下流に設けた円筒部材と、円筒部材の側方から円筒部材の内部に向けて所定厚のシート状の光を照射する照射装置と、前記シート状の光が照射される部分であるシート部よりも下流側に配置され、前記シート部を撮像する複数の撮像装置と、円筒部材の側面であって、前記シート部の下流に設けた光学窓部と、光学窓部の外側に設けられ、前記シート部の光学像を撮像装置に導くための導光部と、前記複数の撮像装置で撮像された２次元画像に基づいて、回転機械近傍の旋回流の３次元画像を得る画像解析装置とを備える。【選択図】図１
2017106852.tif 000002
【特許請求の範囲】
【請求項１】
回転機械と、
トレーサを供給する供給器と、
回転機械の下流に設けた円筒部材と、
円筒部材の側方から円筒部材の内部に向けて所定厚のシート状の光を照射する照射装置と、
前記シート状の光が照射される部分であるシート部よりも下流側に配置され、前記シート部を撮像する複数の撮像装置と、
円筒部材の側面であって、前記シート部の下流に設けた光学窓部と、
光学窓部の外側に設けられ、前記シート部の光学像を撮像装置に導くための導光部と、
前記複数の撮像装置で撮像された２次元画像に基づいて、回転機械近傍の旋回流の３次元画像を得る画像解析装置とを備えることを特徴とする旋回流測定装置。
【発明の詳細な説明】
【技術分野】
【０００１】
本発明は、流体の旋回流を測定する装置に関する。特に、タービン等の回転機械により生成される旋回流の３次元測定を行う装置に関する。
【背景技術】
【０００２】
従来の旋回流測定装置としては、例えば非特許文献１、２のようなものがある。
【先行技術文献】
【非特許文献】
【０００３】
【非特許文献１】「レーザ誘起蛍光による旋回流予混合器中の気体混合挙動の可視化」（小宮山ほか、可視化情報学会論文集、Vol.28、No.11、pp. 86-93）(2008.11)
【非特許文献２】「PIV によるターボ機械内部の流れ計測」（大内田ほか、IHI技報、Vol.53、No.2）(2013)
【発明の概要】
【発明が解決しようとする課題】
【０００４】
しかし、非特許文献１、２はいずれも２次元計測であり、奥行き方向（＝回転機械の回転軸方向）を含む３次元計測を行うものではない。
【０００５】
３次元計測を行う方法として、ステレオＰＩＶ法が考えられる。例えば、回転機械の上流からシードを投入し、回転機械の下流側のシリンダをガラス等の透明な材料で形成する。そして、シリンダ外壁面に垂直な方向からシート状のレーザ光を照射する一方、レーザにより照射されたシリンダ内のシードを、シリンダ外部の斜め２方向に設置した２台のカメラにより撮像することで、シードの３次元挙動を計測し、これにより回転機械近傍の旋回流の３次元画像を得ることが、原理的には可能である。
【０００６】
しかし、この方法だと、斜め方向にカメラを設置するので、シリンダ外壁での外光の散乱、またはレーザ光の散乱に起因して、精度の良いシードの挙動画像を得ることが困難である。
【０００７】
本発明は、かかる点に鑑みてなされたものであり、精度の良い旋回流の三次元計測を行う装置を提供することを目的とする。
【課題を解決するための手段】
【０００８】
本発明の旋回流測定装置は、トレーサを供給する供給器と、回転機械の下流に設けた円筒部材と、円筒部材の側方から円筒部材の内部に向けて所定厚のシート状の光を照射する照射装置と、前記シート状の光が照射される部分であるシート部よりも下流側に配置され、前記シート部を撮像する複数の撮像装置と、円筒部材の側面であって、前記シート部の下流に設けた光学窓部と、光学窓部の外側に設けられ、前記シート部の光学像を撮像装置に導くための導光部と、前記複数の撮像装置で撮像された２次元画像に基づいて、回転機械近傍の旋回流の３次元画像を得る画像解析装置とを備える。
【発明の効果】
【０００９】
本発明によれば、精度の良い旋回流の三次元計測を行うことができる。
【図面の簡単な説明】
【００１０】
【図１】実施形態に係る旋回流測定装置の概略構成図である。
【発明を実施するための形態】
【００１１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１２】
図１を参照して、本発明の実施形態に係る旋回流測定装置は、タービン１と、シリンダ２と、レーザ３と、カメラ４（４ａ、４ｂ）と、画像解析装置５と、導光部材６（６ａ、６ｂ）と、シリンダ７と、シードフィーダ８を備える。この旋回流測定装置は、自動車のエンジンで用いられているターボチャージャを模擬した旋回流測定装置である。実際には、タービン１の下方（シリンダ２と反対側）には圧縮機が配備されるが、図１では図示省略している。
【００１３】
タービン１の上流側にあるシリンダ７からガスが導入される。また、シリンダ７には、トレーサ粒子（シード）を供給するためのシード供給器８が側面に設けられる。トレーサ粒子は、ガスと共にタービン１の下流側にあるシリンダ２に導かれる。レーザ３は、シリンダ２の側面からシート状の光によりトレーサ粒子を照射する。このシート状の光は所謂、光シート、レーザシートと呼ばれ、例えば、レーザ３の出射部にコリメータレンズを配備することで生成することができる。なお、このシートの厚さは、測定しようとする旋回流の速度を考慮して、適切に設定されるべきである。
【００１４】
シリンダ２の下流側に設けたカメラ４は、トレーサ粒子からの散乱光を検出する。このトレーサ粒子からの散乱光を検出することにより、タービン１の周りの旋回流を測定することができる。本装置では、カメラ４は２台からなり、画像解析装置５は、各カメラで撮影された２次元画像から３次元画像を構成する処理を行う。このように、本装置は、いわゆるステレオＰＩＶ（Ｐａｒｔｉｃｌｅ  Ｉｍａｇｅ  Ｖｅｌｏｃｉｍｅｔｒｙ）計測を行うものである。
【００１５】
カメラ４は、シリンダ２の筒内に配置しても良いが、シリンダ２のガス流によりカメラのレンズが汚れ、画像計測が正しく行えなくなる虞がある。そこで、本装置では、シリンダ２の側方にカメラ４を配置し、導光部材６を用いてトレーサ粒子の像をカメラ４に導くようにしている。
【００１６】
シリンダ２の外壁は、全体をガラス等の透明な部材で形成しても良いし、レーザ３を照射する部分（シート部）と、導光部材６が設けられる部分のみに透明な光学窓を設けるようにしても良い。
【００１７】
シート部分のシリンダ２の外壁には、レーザ３の光がカメラ４の方向に散乱することを防ぐための溝を設けても良い。
【００１８】
仮にカメラ４をシリンダ２の筒内に配置する場合、カメラ４の前面には清浄用のワイパーやスプレーを設けても良い。
【符号の説明】
【００１９】
１    タービン
２    シリンダ
３    レーザ光
４    カメラ
５    画像解析装置
６    導光部材
７    シリンダ
８    シード供給器
【図１】
2017106852.tif 000003
(57)【要約】【課題】本発明は日々の生活の中で家具の出隅や扉の角に膝をぶつけて打撃、損傷を受けることが多くあり、このダメージを軽減、保護するズボンのポケットを提供する。【手段】伸縮性のあるポケットの中にクッションパットを収納し、ポケットの裾部に出し入れの開口部を設ける。【選択図】図１
2017179682.tif 000002
【特許請求の範囲】
【請求項１】
ズボンのポケットの取り付ける位置は膝頭がポケットの中心部周辺にくる位置に設け、ポケットの裾側に開口部が設けられたズボンの膝頭保護ポケット。
【請求項２】
ポケットの裾の内側にクッションパットを受け止める、折り返しポケットが設けられたズボンの膝頭保護ポケット
【請求項３】
ポケットの中に付属品のクッションパットが収納できるズボンの膝頭保護ポケット。
【発明の詳細な説明】
【技術分野】
【０００１】本発明は日々の生活の中で動き回るとき、家具の出隅や扉の角に膝及び膝頭をぶち当てて、打撃を受けることから保護するポケットに関するものである。
【背景技術】
【０００２】従来、膝頭を保護する物は膝サポーターとして役目から、膝の締め付けがなされております。又屈伸が繰り返される部分であることから、素肌に直接取りつけられ膝頭の打撃保護を目的としてはなされていませんでした。
【発明の開示】
【発明が解決しようとする課題】
【０００３】  膝の締め付けは長時間続くと苦痛になります。本発明は膝の締め付けをせず、打撃保護材がずれ落ちることなく膝頭周辺を保護することが出来るようになされたものである。
【課題を解決するための手段】
【０００４】上記の目的を達成するため、ズボンのポケットを用います。ポケットの取り付ける位置は膝頭がポケットの中央周辺に来る位置に設ける。ポケットの開口部はズボンの裾側に設ける。ポケットの中には付属品としてクッションパットを収納する。ポケットの裾の内側にはクッションパットを受ける折り返しポケットを設ける。ポケットの中央部上下方向にプリーツを設ける。
本発明は、以上の構成によりなる、膝周辺を締め付ける手段を取らず膝頭の打撃保護が出来るズボンポケットである。
【発明の効果】
【０００５】  本発明を使用するとき付属品のクッションパットをポケットの裾側から内側の落下防止の折り返しポケットに差し込みます。洗濯時取り外せます。ポケットにはプリーツを設けているので屈伸、着座しても布が拡がり膝回りが窮屈にはなりません。膝の前面１８０度クッションパットがガードしているので動きの中での打撃、損傷から保護されます。
【発明の実施すための最良の形態】
【０００６】以下、本発明の実施の形態を説明する。
（イ）膝頭が中央周辺にくるポケットに伸縮性のあるプリーツ部（３）（７）（９）を設け、ポケット裾部に内側への折り返しポケット（１０）を設ける。
（ロ）付属品のクッションパット（８）は取り外しが可能で弾力性の程度は選択可能である。取付方法はポケット裾開口部より中へ入れ込み折り返しポケット（１０）に差し込む。
（ハ）左右のポケットは同一。
本発明は以上の構成よりなる。
本発明を使用する場合はクッションパット（８）を折り返しポケット（１０）に差し込んで使用します。この状態で膝頭はクッションパットで保護された状態が保て、椅子などに腰かけてもポケットのプリーツが開き窮屈になるのが防げます。
【図面の簡単な説明】
【０００７】
【図１】本発明の正面図である。ポケットは左右同一につき片方の部品名は省略。
【図２】本発明のＸ‐Ｘ断面図。
【図３】本発明のクッションパットが取り付けられた状態のＸ‐Ｘ断面図。
【図４】本発明のＹ‐Ｙ断面図。
【図５】本発明のクッションパットが取り付けられた状態のＹ‐Ｙ断面図。
【符号の説明】
【０００８】    １    ズボン表生地
２    周囲縫合線
３    外側の折り目
４    折り目の縫合線
５    折り目接合線
６    ポケット表生地
７    内側の折り目
８    クッションパット
９    折り畳まれたプリーツ部
１０  内側への折り返しポケット生地
【図１】
2017179682.tif 000003
【図２】
2017179682.tif 000004
【図３】
2017179682.tif 000005
【図４】
2017179682.tif 000006
【図５】
2017179682.tif 000007